【手続補正書】
【提出日】平成20年2月26日(2008.2.26)
【手続補正１】
【補正対象書類名】明細書
【補正対象項目名】特許請求の範囲
【補正方法】変更
【補正の内容】
【特許請求の範囲】
【請求項１】  画像形成装置であって、
出力するデータを受信する受信手段と、
金銭の支払いを認識する認識手段と、
前記認識手段により金銭が支払われたことが認識されると、支払われた金銭額に拘わらず、前記受信手段によるデータの受信を受け付けない状態からデータの受信を受け付ける状態にする制御手段と、
を有することを特徴とする画像形成装置。
【請求項２】  請求項１に記載の画像形成装置において、
前記受信手段により受信したデータを出力する出力手段と、
前記受信手段により受信したデータを出力するために必要な金銭額を算出する算出手段を有し、
前記出力手段は、前記算出手段により算出された金銭額と、支払われた金銭額とに応じて、前記データを出力することを特徴とする画像形成装置。
【請求項３】  請求項２に記載の画像形成装置において、
前記出力手段は、前記算出手段により算出された金銭額に、支払われた金銭額が足りなければ、前記データの出力を中断することを特徴とする画像形成装置。
【請求項４】  請求項３に記載の画像形成装置において、
前記出力手段は、前記算出手段により算出された金銭額に、支払われた金銭額が足りれば、前記中断した出力を開始することを特徴とする画像形成装置。
【請求項５】  請求項２に記載の画像形成装置において、
前記算出手段は、前記受信手段により受信されたデータに含まれる情報に基づいて、前記算出を行うことを特徴とする画像形成装置。
【請求項６】  請求項５に記載の画像形成装置において、
前記情報は、白黒かカラーかの出力モードを示す情報、出力する用紙サイズを示す情報、出力する解像度を示す情報、片面か両面かの出力モードを示す情報の少なくとも１つを含むことを特徴とする画像形成装置。
【請求項７】  画像形成装置の制御方法であって、
出力するデータを受信する受信工程と、
金銭の支払いを認識する認識工程と、
前記認識工程において金銭が支払われたことが認識されると、支払われた金銭額に拘わらず、前記受信におけるデータの受信を受け付けない状態からデータの受信を受け付ける状態にする制御工程と、
を有することを特徴とする画像形成装置の制御方法。
【請求項８】  請求項７に記載の制御方法において、
前記受信工程において受信したデータを出力する出力工程と、
前記受信工程において受信したデータを出力するために必要な金銭額を算出する算出工程を有し、
前記出力工程では、前記算出工程において算出された金銭額と、支払われた金銭額とに応じて、前記データを出力することを特徴とする画像形成装置の制御方法。
【請求項９】  請求項８に記載の制御方法において、
前記出力工程は、前記算出工程において算出された金銭額に、支払われた金銭額が足りなければ、前記データの出力を中断することを特徴とする画像形成装置の制御方法。
【請求項１０】  請求項９に記載の制御方法において、
前記出力工程は、前記算出工程において算出された金銭額に、支払われた金銭額が足りれば、前記中断した出力を開始することを特徴とする画像形成装置の制御方法。
【請求項１１】  請求項１０に記載の制御方法において、
前記算出工程は、前記受信工程において受信されたデータに含まれる情報に基づいて、前記算出を行うことを特徴とする画像形成装置の制御方法。
【請求項１２】  請求項１１に記載の制御方法において、
前記情報は、白黒かカラーかの出力モードを示す情報、出力する用紙サイズを示す情報、出力する解像度を示す情報、片面か両面かの出力モードを示す情報の少なくとも１つを含むことを特徴とする画像形成装置の制御方法。
【請求項１３】  画像形成装置であって、
出力するデータを受信する受信手段と、
支払われた金銭額を認識する認識手段と、
前記受信手段により受信したデータを出力するために必要な金銭額を算出する算出手段と、
前記受信手段により受信したデータを出力している途中に、支払われた金銭額と、出力に必要な金銭額に応じて、前記データの出力を中断するように制御する制御手段と、
を有することを特徴とする画像形成装置。
【請求項１４】  請求項１３に記載の画像形成装置において、
前記受信手段が一度に複数ぺージのデータを受信した場合には、前記制御手段による制御は、各ページが出力される毎に行われることを特徴とする画像形成装置。
【請求項１５】  画像形成装置の制御方法であって、
出力するデータを受信する受信工程と、
支払われた金銭額を認識する認識工程と、
前記受信工程において受信したデータを出力するために必要な金銭額を算出する算出工程と、
前記受信工程において受信したデータを出力している途中に、支払われた金銭額と、出力に必要な金銭額に応じて、前記データの出力を中断するように制御する制御工程と、
を有することを特徴とする画像形成装置の制御方法。
【請求項１６】  請求項１５に記載の制御方法において、
前記受信工程において一度に複数ぺージのデータを受信した場合には、前記制御工程における制御は、各ページが出力される毎に行われることを特徴とする画像形成装置の制御方法。
【請求項１７】  請求項１〜６，１３，１４のいずれか１項に記載の画像形成装置の各手段としてコンピュータを機能させるための、コンピュータにより実行されるプログラム。
【手続補正２】
【補正対象書類名】明細書
【補正対象項目名】０００７
【補正方法】変更
【補正の内容】
【０００７】
【課題を解決するための手段】
本発明の画像形成装置は、出力するデータを受信する受信手段と、金銭の支払いを認識する認識手段と、前記認識手段により金銭が支払われたことが認識されると、支払われた金銭額に拘わらず、前記受信手段によるデータの受信を受け付けない状態からデータの受信を受け付ける状態にする制御手段と、を有することを特徴とする。
【手続補正３】
【補正対象書類名】明細書
【補正対象項目名】０００９
【補正方法】変更
【補正の内容】
【０００９】
また、本発明の画像形成装置において、前記出力手段は、前記算出手段により算出された金銭額に、支払われた金銭額が足りなければ、前記データの出力を中断することを特徴とする。
【手続補正４】
【補正対象書類名】明細書
【補正対象項目名】００１０
【補正方法】変更
【補正の内容】
【００１０】
また、本発明の画像形成装置において、前記出力手段は、前記算出手段により算出された金銭額に、支払われた金銭額が足りれば、前記中断した出力を開始することを特徴とする。
【手続補正５】
【補正対象書類名】明細書
【補正対象項目名】００１１
【補正方法】変更
【補正の内容】
【００１１】
また、本発明の画像形成装置において、前記算出手段は、前記受信手段により受信されたデータに含まれる情報に基づいて、前記算出を行うことを特徴とする。
【手続補正６】
【補正対象書類名】明細書
【補正対象項目名】００１２
【補正方法】変更
【補正の内容】
【００１２】
また、本発明の画像形成装置において、前記情報は、白黒かカラーかの出力モードを示す情報、出力する用紙サイズを示す情報、出力する解像度を示す情報、片面か両面かの出力モードを示す情報の少なくとも１つを含むことを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また、本発明の画像形成装置の制御方法は、出力するデータを受信する受信工程と、  金銭の支払いを認識する認識工程と、前記認識工程において金銭が支払われたことが認識されると、支払われた金銭額に拘わらず、前記受信におけるデータの受信を受け付けない状態からデータの受信を受け付ける状態にする制御工程と、を有することを特徴とする。
【手続補正９】
【補正対象書類名】明細書
【補正対象項目名】００１６
【補正方法】変更
【補正の内容】
【００１６】
また、本発明の画像形成装置の制御方法において、前記出力工程は、前記算出工程において算出された金銭額に、支払われた金銭額が足りなければ、前記データの出力を中断することを特徴とする。
【手続補正１０】
【補正対象書類名】明細書
【補正対象項目名】００１７
【補正方法】変更
【補正の内容】
【００１７】
また、本発明の画像形成装置の制御方法において、前記出力工程は、前記算出工程において算出された金銭額に、支払われた金銭額が足りれば、前記中断した出力を開始することを特徴とする。
【手続補正１１】
【補正対象書類名】明細書
【補正対象項目名】００１８
【補正方法】変更
【補正の内容】
【００１８】
また、本発明の画像形成装置の制御方法において、前記算出工程は、前記受信工程において受信されたデータに含まれる情報に基づいて、前記算出を行うことを特徴とする。
【手続補正１２】
【補正対象書類名】明細書
【補正対象項目名】００１９
【補正方法】変更
【補正の内容】
【００１９】
また、本発明の画像形成装置の制御方法において、前記情報は、白黒かカラーかの出力モードを示す情報、出力する用紙サイズを示す情報、出力する解像度を示す情報、片面か両面かの出力モードを示す情報の少なくとも１つを含むことを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
また、本発明の画像形成装置は、出力するデータを受信する受信手段と、支払われた金銭額を認識する認識手段と、前記受信手段により受信したデータを出力するために必要な金銭額を算出する算出手段と、前記受信手段により受信したデータを出力している途中に、支払われた金銭額と、出力に必要な金銭額に応じて、前記データの出力を中断するように制御する制御手段と、を有することを特徴とする。
【手続補正１５】
【補正対象書類名】明細書
【補正対象項目名】００２２
【補正方法】変更
【補正の内容】
【００２２】
また、本発明の画像形成装置において、前記受信手段が一度に複数ぺージのデータを受信した場合には、前記制御手段による制御は、各ページが出力される毎に行われることを特徴とする。
【手続補正１６】
【補正対象書類名】明細書
【補正対象項目名】００２３
【補正方法】変更
【補正の内容】
【００２３】
また、本発明の画像形成装置の制御方法は、出力するデータを受信する受信工程と、  支払われた金銭額を認識する認識工程と、前記受信工程において受信したデータを出力するために必要な金銭額を算出する算出工程と、前記受信工程において受信したデータを出力している途中に、支払われた金銭額と、出力に必要な金銭額に応じて、前記データの出力を中断するように制御する制御工程と、を有することを特徴とする。
【手続補正１７】
【補正対象書類名】明細書
【補正対象項目名】００２４
【補正方法】変更
【補正の内容】
【００２４】
また、本発明の画像形成装置の制御方法において、前記受信工程において一度に複数ぺージのデータを受信した場合には、前記制御工程における制御は、各ページが出力される毎に行われることを特徴とする。
【手続補正１８】
【補正対象書類名】明細書
【補正対象項目名】００２５
【補正方法】変更
【補正の内容】
【００２５】
また、本発明のプログラムは、上記いずれかの画像形成装置の各手段としてコンピュータを機能させるための、コンピュータにより実行されるプログラムである。